(57)【特許請求の範囲】
【請求項１】
前身頃と、後身頃と、前記前身頃と前記後身頃との間に位置する股下部と、前記股下部から延在し、前記股下部の幅方向外側に左右一対の脚周り開口部を有する左右一対の脚周り被覆部とを具える外装体と、
前記外装体の内側における股下部に配された吸収性本体とを備えるボクサーパンツ型使い捨ておむつであって、
前記左右一対の脚周り被覆部それぞれの内周における、内股領域に、内股部材が設けられており、
前記内股部材の前記脚周り開口部側に位置する幅方向端部の周方向の長さは、反対側に位置する端部の周方向の長さよりも長いことを特徴とするボクサーパンツ型使い捨ておむつ。
【請求項２】
前記外装体は、前記脚周り被覆部に、前記脚周り開口部に沿って脚周り伸縮部材をさらに有し、
前記内股部材は、前記内股領域において、脚周り伸縮部材を覆うように位置することを特徴とする請求項１に記載のボクサーパンツ型使い捨ておむつ。
【請求項３】
吸収性本体は、吸収体と、該吸収体の一方面側に重ねられる液透過性のトップシートと、前記吸収体の他方面側に重ねられる液不透過性のバックシートと、前記トップシートの左右両側において、前記トップシートに接合される一対のサイドシートとを具え、
前記内股部材は、前記各サイドシートと一体に形成され、前記吸収性本体から幅方向外側に延出することを特徴とする請求項１または２に記載のボクサーパンツ型使い捨ておむつ。
【請求項４】
前記内股部材は、少なくとも、前記脚周り開口部側に位置する前記幅方向端部が前記外装体に接合されていることを特徴とする請求項３に記載のボクサーパンツ型使い捨ておむつ。
【請求項５】
前記内股部材は、スリットを有することを特徴とする請求項３または４に記載のボクサーパンツ型使い捨ておむつ。
【請求項６】
前記内股部材は、親水性部分を有することを特徴とする請求項１ないし５のいずれかに記載のボクサーパンツ型使い捨ておむつ。
【請求項７】
前身頃と、後身頃と、前記前身頃と前記後身頃との間に位置する股下部と、前記股下部の幅方向外側に形成された左右一対の脚周り開口部と、前記股下部から延在し、前記股下部の幅方向外側に左右一対の脚周り開口部を有する左右一対の脚周り被覆部とを具えるボクサーパンツ型外装体に取り付けられる吸収性物品であって、
吸収体と、該吸収体の一方面側に重ねられる液透過性のトップシートと、前記吸収体の他方面側に重ねられる液不透過性のバックシートと、前記トップシートの左右両側において、前記トップシートに接合される一対のサイドシートと、該サイドシートと一体に形成された内股部材とを備え、
前記吸収性物品が、前記ボクサーパンツ型外装体に取り付けられる際に、前身頃から後身頃にわたる長手方向に直交する幅方向に関し、前記内股部材は、前記一対のサイドシートのそれぞれから前記幅方向外側に延出するとともに、前記脚周り開口部側に位置する幅方向端部における長手方向の長さＬ２が、反対側端部の長手方向の長さＬ１に比べて長い形状であり、かつ、前記吸収性物品が、前記外装体に取り付けられたときに、前記外装体の、前記左右一対の脚周り被覆部それぞれの内周における、内股領域に位置することを特徴とする吸収性物品。
【請求項８】
前記内股部材は、親水性部分を有することを特徴とする請求項７に記載の吸収性物品。
【発明の詳細な説明】
【技術分野】
【０００１】
本発明は、使い捨ておむつに関する。具体的には、本発明は、着用者の脚周りを被覆する脚周り被覆部を具えるボクサーパンツ型使い捨ておむつに関する。また、ボクサーパンツ型外装体に取り付けられる吸収性物品に関する。
【背景技術】
【０００２】
前身頃と後身頃の左右端部が接合され、ウエスト開口部と左右の脚周り開口部とが形成された外装体を具える、いわゆるパンツ型の使い捨ておむつが一般に知られている。特に、左右の脚周り開口部が着用者のそけい部に沿うようにして形成されたショーツタイプのものが普及している。
【０００３】
しかしながら、ショーツタイプの使い捨ておむつは、股下部に隣接して脚周り開口部が位置する形となっている。したがって、着用者が歩いたり、座ったりといった脚の動作によって、着用者のそけい部とおむつの脚周り開口部との間に隙間が生じると、股下部で溜めた尿などの体液がその隙間から漏れやすい。
【０００４】
このような脚周り開口部からの体液漏れをより防ぐために、脚周り部分の密着性を強化したボクサーパンツ型の使い捨ておむつが提供されている。これは、パンツの股下部から脚周り開口部までの外装体の丈をショーツタイプに比べて長くし、着用者のそけい部よりも下方に脚周り開口部が位置するものである。このため、着用者の脚の動作によっても、着用者の脚とおむつとの間に隙間が生じにくく、脚周り開口部からの体液漏れを効果的に防止できる。
【０００５】
特許文献１に記載のボクサーパンツ型の使い捨ておむつは、脚周り部分に配置された弾性伸縮部材が、左右の脚周り開口部を全体として一つのラウンド状に囲んだ状態で設けられている。これにより体液が漏れにくいとされている。
【先行技術文献】
【特許文献】
【０００６】
【特許文献１】特許第５２０８９６５号公報
【発明の概要】
【発明が解決しようとする課題】
【０００７】
ボクサーパンツ型の使い捨ておむつは、脚周りの丈を長くして、体液が衣服に付着するのを防止している。しかしながら、脚周りの丈を長くしただけでは、股下部から体液が漏れることがあり、体液の漏れ防止としては不十分であった。
【０００８】
また、ボクサーパンツ型のおむつは、脚周りの丈がショーツ型に比べて長いため、脚の動きによって、外装体が引っ張られるなどの影響があった。すなわち、ショーツ型の使い捨ておむつでは、脚周り開口部が股下部からウエスト方向に切れ上がった形であるため、脚の前後運動で大きく前後に移動する太股部分には、外装体は位置しない。したがって、糸ゴムなどの弾性伸縮部材を用いて、脚周り開口部が肌に密着するようにしても、脚の動きに伴っておむつ外装体が大きく引っ張られることはない。
【０００９】
一方、ボクサーパンツ型のおむつでは、脚周り開口部がそけい部よりも下方の太股部分に位置し、外装体がそけい部から脚周り開口部までの太股部分を覆うことになる。したがって、脚の前後運動で大きく移動する太股部分に脚周り開口部が位置するため、外装体は脚の動きによって引っ張られる部分が多い。外装体が脚の動きによって引っ張られることにより、太股部分に外装体が密着して締め付け感を感じる人もいる。特に、脚周り開口部に配置された弾性伸縮部材が肌に食い込む場合もあり、装着感が良くないと感じる人もいる。
【００１０】
本発明はこのような問題に鑑みて、体液漏れによる衣服への汚れを防止するとともに、脚の動きに対応した、股下部から脚周り開口部まで締め付け感を緩和するボクサーパンツ型の使い捨ておむつを提供することを課題とする。
【課題を解決するための手段】
【００１１】
本発明のボクサーパンツ型使い捨ておむつは、前身頃と、後身頃と、前身頃と後身頃との間に位置する股下部と、股下部から延在し、股下部の幅方向外側に左右一対の脚周り開口部を有する左右一対の脚周り被覆部とを具える外装体と、外装体の内側における股下部に配された吸収性本体とを備えるボクサーパンツ型使い捨ておむつであって、左右一対の脚周り被覆部それぞれの内周における、内股領域に、内股部材が設けられており、内股部材の前記脚周り開口部側に位置する端部の周方向の長さは、反対側に位置する端部の周方向の長さよりも長いことを特徴とする。
【００１２】
本発明の吸収性物品は、前身頃と、後身頃と、前身頃と後身頃との間に位置する股下部と、股下部の幅方向外側に形成された左右一対の脚周り開口部と、股下部から延在し、股下部の幅方向外側に左右一対の脚周り開口部を有する左右一対の脚周り被覆部とを具えるボクサーパンツ型外装体に取り付けられる吸収性物品であって、吸収体と、吸収体の一方面側に重ねられる液透過性のトップシートと、吸収体の他方面側に重ねられる液不透過性のバックシートと、トップシートの左右両側において、トップシートに接合される一対のサイドシートと、サイドシートと一体に形成された内股部材とを備え、吸収性物品が、前記ボクサーパンツ型外装体に取り付けられる際に、前身頃から後身頃にわたる長手方向に直交する幅方向に関し、内股部材は、一対のサイドシートのそれぞれから幅方向外側に延出するとともに、前記脚周り開口部側に位置する幅方向端部における長手方向の長さＬ２が、反対側端部の長手方向の長さＬ１に比べて長い形状であり、かつ、吸収性物品が、外装体に取り付けられたときに、外装体の、左右一対の脚周り被覆部それぞれの内周における、内股領域に位置することを特徴とする。
【図面の簡単な説明】
【００１３】
【図１】図１は、第１実施形態のボクサーパンツ型使い捨ておむつを示す斜視図である。
【図２】図２は、図１のボクサーパンツ型使い捨ておむつの展開図である。
【図３】図３は、サイドシートが展開された状態の吸収性本体の平面図である。
【図４】図４は、サイドシートが折り返される状態の吸収性本体をバックシート側から見た斜視図である。
【図５】図５は、第１実施形態の使い捨ておむつの断面図である。同図（ａ）は、図２のＡ−Ａ線における断面図であり、同図（ｂ）は、図２のＢ−Ｂ線における断面図であり、同図（ｃ）は、図２のＣ−Ｃ線における断面図である。
【図６】図６は、着用者に装着された状態の使い捨ておむつの斜視図を模式的に示す。
【図７】図７は、内股部材である延出フラップの固定を示す模式図である。同図（ａ）は、第１実施形態の使い捨ておむつをウエスト開口部から股下部に向かって切断した断面を示す模式的断面図である。同図（ｂ）は延出フラップにおける固定領域と非固定領域を示す模式的部分平面図である。
【図８】図８（ａ）、図８（ｂ）、図８（ｃ）のそれぞれは、延出フラップの切れ込みを示す部分平面図である。
【図９】図９（ａ）、図９（ｂ）、図９（ｃ）のそれぞれは、延出フラップの形状のバリエーションを示す、吸収製本体の平面図である。
【図１０】図１０は、第２実施形態の使い捨ておむつの展開図である。
【発明を実施するための形態】
【００１４】
本発明によるボクサーパンツ型使い捨ておむつの実施形態について、図１から図１０を参照しながら詳細に説明する。
【００１５】
本実施形態において、「長手方向」とは、おむつ外装体及び吸収性本体（吸収性物品）において、前身頃から後身頃にわたる方向をいう。すなわち、着用者が本実施形態のおむつ等を装着した際に腹側から股下を通り、背側にわたる方向をいう。また、「幅方向」とは、長手方向に平面的に直交する方向をいう。図において、長手方向はＹ軸で示し、幅方向はＸ軸で示す。
【００１６】
本発明の第１実施形態におけるボクサーパンツ型使い捨ておむつ（以下、単に「おむつ」ともいう）の外観において、正面側から見た斜視図を図１に示す。また、図１のおむつを展開し、肌対向面側から見た展開図を図２に示す。
【００１７】
図１及び図２に示されるように、本実施形態におけるボクサーパンツ型使い捨ておむつ１００は、吸収性本体１０と外装体２０とを具えている。吸収性本体１０は、着用者の尿などの体液を吸収し保持するための部材である。外装体２０は、吸収性本体１０をその肌非対向面側から被覆し、吸収性本体１０を着用者の股下で保持するための部材である。
【００１８】
外装体２０は、着用者の腹側に位置する前身頃２１と、着用者の背側に位置する後身頃２２と、これら前身頃２１と後身頃２２の間に位置し、着用者の股下にあてがわれる股下部２３とを有している。吸収性本体１０は、この外装体２０の股下部２３を中心として、前身頃２１と後身頃２２にわたって伸びるように、外装体２０の肌対向面側に重ねて配置されている。加えて、外装体２０は、パンツ型であり、着用時に前身頃２１と後身頃２２とで着用者のウエストの部分を取り囲むウエスト開口部２６が形成されている。同様に、前身頃２１および後身頃２２と股下部２３とで着用者の両脚の太股部分を取り囲む左右一対の脚周り開口部２４が形成されている。これら脚周り開口部２４、ウエスト開口部２６は、前身頃２１と後身頃２２が、それぞれの幅方向の左右両端に位置するサイドシール部２１ａ、２２ａで互いに重ね合わせて接合されることにより、形成されるものである。そして、図２に示すように、外装体２０は股下部２３の左右両端に切り欠きが設けられており、サイドシール部２１ａ、２２ａを互いに重ねて接合することにより、この切り欠きが輪状となって、脚周り開口部２４となる。
【００１９】
また、図１に示されるように、おむつ１００は、脚周り開口部２４の周囲に、着用者の股下から太もも部分を被覆する脚周り被覆部２５が形成される。図１に示されるように、脚周り被覆部２５は、脚周り開口部２４が股下部２３よりも下方に位置するよう、股下部２３から延在し、その端部に脚周り開口部２４が設けられている。図２に示されるように、脚周り被覆部２５は、次の二つによって形成される。すなわち、脚周り開口部２４を形成する切り欠きの開口面積を小さくする（幅方向中心線Ｐからの前身頃２１及び後身頃２２切断片までの概角αを小さくする）こと、及び、脚周り開口部２４から吸収性本体１０の吸収体１１までの間隔を広く確保することである。角度αが大きいと、足周り開口部２４がおむつ左右端に向かって大きく切れ上がることになるため、ショーツ型パンツの形となる。
【００２０】
また、外装体２０は、肌対向面側に位置するインナーシート２７と、肌非対向面側に位置するアウターシート２８とを少なくとも積層した構造となっている。必要に応じて、これらのシートの間、もしくは、外側に、他のシートを複数重ね合わせてもよい。インナーシート２７とアウターシート２８を構成する材料としては、例えば、織布や不織布を用いることができる。特に、外装体２０の肌触りを良くするために、インナーシート２７、アウターシート２８として、ポリエチレン、ポリプロピレン、又はポリエステルのような熱可塑性樹脂からなる乾式不織布又は湿式不織布を用いることが好ましい。
【００２１】
また、外装体２０には、インナーシート２７とアウターシート２８との間に、複数の弾性伸縮部材２９ａ、２９ｂ、２９ｃが介在している。ウエスト伸縮部材２９ａは、ウエスト開口部２６の近傍において、前身頃２１、後身頃２２の幅方向に沿って伸張した状態で固定されている。ウエスト伸縮部材２９ａは、糸ゴムなど伸張するものであればよい。図１に示すように、このウエスト伸縮部材２９ａによって、ウエスト開口部２６は、積層された複数シートに対してギャザーが寄せられた状態で保持されている。したがって、着用の際には、着用者の腰周りに合わせてウエストギャザーが形成されることとなる。また、複数のタミー伸縮部材２９ｂは、ウエスト伸縮部材２９ａよりも股下部２３寄りの位置において、幅方向に沿って伸張した状態で固定されている。図１に示すように、このタミー伸縮部材２９ｂによっても積層された複数シートはギャザーが寄せられた状態で保持されている。すなわち、着用者の下腹部周りにタミーギャザーが形成される。また、脚周り伸縮部材２９ｃは、脚周り開口部２４の近傍において、この脚周り開口部２４の形状に沿って伸張した状態で固定されている。脚周り伸縮部材２９ｃによって、脚周り開口部２４付近にギャザーが形成される。
【００２２】
このような外装体２０の肌対向面側には、上述したように、吸収性本体１０が配置される。図２に示されるように、吸収性本体１０は、その長手方向中央が中心線Ｐ上にくるようにして、外装体２０を成すシート中心に配される。そして、その肌非対向面側がホットメルト接着剤等を介して外装体２０に接合される。吸収性本体１０の長手方向の長さは外装体２０の長手方向の長さよりも短く、吸収性本体１０の幅方向の長さは、おむつ完成時において、脚周り開口部２４よりも内側に位置する長さである。したがって、図１に示されるように、外装体２０の各開口部２４、２６から吸収性本体１０が露出することなく、外装体２０の内側に収まっている。
【００２３】
そして、本実施形態のおむつ１００は、脚周り被覆部２５の内股部分に、内股部材である延出フラップ３３ａを有している。この延出フラップ３３ａ（内股部材）は、体液が股下から伝いやすく、かつ、脚の動きによって締め付けが強くなる内股領域において、股を体液による汚れや締め付けから保護するものである。具体的には、この延出フラップ３３ａは、股下から内股を伝って漏れ出る体液を吸収し、脚周り開口部２４へ漏れ出すのを阻止するとともに、糸ゴムなどの脚周り伸縮部材２９ｃが直接肌に触れないようにする。この内股部材である延出フラップ３３ａの詳細については後述する。
【００２４】
図３は、吸収性本体１０の構造を示した平面図である。
【００２５】
吸収性本体１０は、吸収体１１と、液透過性のトップシート１２と、液不透過性のバックシート１３と、立体ギャザーを形成するためのサイドシート１４とを具えている。
【００２６】
図３は、サイドシート１４が展開された状態を示しており、図４は、サイドシート１４の一部が折り返された状態を示している。また、図５（ａ）は、図２に示したＡ−Ａ線における断面構造を示し、図５（ｂ）は、図２に示したＢ−Ｂ線における断面構造を示す。そして、図５（ｃ）は、図２に示したＣ−Ｃ線における断面構造を示す。
【００２７】
吸収体１１はトップシート１２とバックシート１３の間に配置され、トップシート１２を透過した尿等の体液を吸収し、保持する。吸収体１１はこのような機能を果たすために、吸収性材料によって構成されており、吸収性材料は、吸収機能を有する公知の材料を採用することができる。具体的には、例えばフラッフパルプ、高吸水性ポリマー（ＳＡＰ）、又は親水性シートを用いてもよい。これらの吸収性材料は１種類を単独で用いてもよいし、複数種類を併用して用いてもよい。本実施形態においては、フラッフパルプに高吸水性ポリマー（ＳＡＰ）を混ぜ込んだものをマット状にし、単層、または複数層を積層したものを用いている。
【００２８】
トップシート１２は、着用者の股下の肌に直接接し、尿等の体液を吸収体１１に透過させるためのものである。そのため、トップシート１２は、肌触りのよい液透過性材料で形成されている。具体的には、例えば、ポリプロピレンやポリエチレン、ポリエステル、ナイロンのような熱可塑性樹脂の繊維を親水化処理し、さらに不織布にしたものを用いることとしてもよい。
【００２９】
バックシート１３は、吸収体１１に吸収された液体が、外装体２０側に漏れ出すことを防止するための部材である。したがって、バックシート１３は液不透過性材料（撥液性材料）で構成されている。具体的には、例えば、ポリエチレン樹脂からなる液不透過性のフィルムである。また、液を漏らさずに通気性を確保するために、０．１〜４μｍの微細な孔が複数形成された微多孔性ポリエチレンフィルムを用いることが好ましい。
【００３０】
また、図５の断面図に示されるように、トップシート１２は、吸収体１１の幅方向左右外側まで延出し、吸収体１１の端を包み込むようになっていてもよい。また、トップシート１２の一部、すなわち、肌非当接面側に位置する部分とバックシート１３とを接合することで、トップシート１２とバックシート１３とで吸収体１１を内包してもよい。
【００３１】
加えて、図５に示されるように、トップシート１２と吸収体１１との間に液透過性のセカンドシート１５を設けてもよい。セカンドシート１５は、トップシート１２を透過した液体を拡散させることを目的として配置されるシート状部材である。セカンドシート１５を設けることで、着用者が着座時など、吸収性本体１０が圧迫されて、吸収体１１とトップシート１２との間に十分な空間が形成されない場合においても、液が拡散しやすくなる。液が拡散しやすいため、液の吸収速度が低下することを抑制できる。セカンドシート１５を構成する材料としては、トップシート１２と同様に、液透過性の織布、不織布、多孔性フィルム等を用いることができる。
【００３２】
また、吸収性本体１０の肌対向面側の幅方向左右両側には、長手方向の全体にわたって、一対のサイドシート１４が重ねあわされている。一対のサイドシート１４は、吸収体１１の両側縁に沿って起立し、体液の横漏れを防止する立体ギャザーを形成する。サイドシート１４としては、撥水性と通気性を有するものが適している。具体的な材料として、例えば、カードエンボスやスパンボンド等の製法により形成された不織布シートを用いることができ、特に、防水性と通気性の高いＳＭＳやＳＭＭＳ等の不織布シートを用いるのが好ましい。また、サイドシート１４は、織布や不織布に撥水加工をしたものであってもよく、あるいは、トップシート１２等と同様に、液透過性シートを用いることも可能である。
【００３３】
図５に示されるように、サイドシート１４は、トップシート１２に接する側に位置する内層１４ａと、トップシート１２に接しない側に位置する外層１４ｂとが重なった積層構造となっている。例えば、サイドシート１４を構成するシート部材を立体ギャザーの頂点で折り返して、内側に位置するものを内層１４ａとし、外側に位置するものを外層１４ｂとする。
【００３４】
図３に示されるように、一対のサイドシート１４は、接合領域３１、起立領域３２、延出領域３３に幅方向に区分される。図５に示すように、幅方向内側から、起立領域３２、接合領域３１、延出領域３３と形成されており、長手方向に沿って延びる帯状の領域とみなせる。起立領域３２は立体ギャザーを構成する領域である。延出領域３３は、吸収性本体１０の肌非対向面側に折り返される折返フラップ３３ｂと、延出フラップ３３ａを構成する領域である。
【００３５】
図５に示されるように、サイドシート１４の接合領域３１は、トップシート１２の肌対向面上に接合されており、この接合領域３１の接合により起立領域３２を固定できる。基本的にサイドシート１４は、対向するトップシート１２の肌対向面上に全面的に接合されている。なお、図示は省略するが、バックシート１３の左右両端部がトップシート１２の左右両端部から延出している場合、サイドシート１４は、接合領域３１において、バックシート１３の肌対向面上に接合されていてもよい。
【００３６】
図３に示すように、起立領域３２は、長手方向の前後両端側に接合部分３２ａを配し、これら接合部分３２ａ間を自由部分３２ｂとする。前後両端の接合部分３２ａにおいて、サイドシート１４は、トップシート１２の肌対向面上に接合されている。他方、自由部分３２ｂにおいて、サイドシート１４は、トップシート１２の肌対向面上に接合されていない。このため、サイドシート１４は、起立領域３２の自由部分３２ｂにおいて、トップシート１２から離れて、自由に立ち上がることができるようになっている。起立領域３２の自由部分３２ｂには立体ギャザーが形成されている。自由部分３２ｂは、股下部２３から前身頃２１、後身頃２２にわたる長さで形成されているのが好ましい。なお、上述したサイドシート１４の接合領域３１や、起立領域３２の接合部分３２ａにおけるシートの接合は、例えば、公知のホットメルト接着剤などを利用して行われるものである。
【００３７】
加えて、図３に示されるように、サイドシート１４の起立領域３２における自由部分３２ｂには、長手方向に沿って１または複数の立体ギャザー伸縮部材１６が固定されている。この立体ギャザー伸縮部材１６が収縮することにより、起立領域３２の自由部分３２ｂが着用者の肌に当接する方向に向かって立ち上がり、立体ギャザーを形成する。立体ギャザーは、尿など体液の防漏壁となり、外部へ漏れ出すのを防止する。
【００３８】
さらに、サイドシート１４は延出領域３３を備える。この延出領域３３は、接合領域３１の幅方向外側に位置し、かつ、少なくともトップシート１２の肌対向面に接合されていない領域である。特に、図３に示されるように、サイドシート１４が展開されている状態において、この延出領域３３は、吸収性本体１０を構成するほかの部材（吸収体１１、トップシート１２、バックシート１３、セカンドシート１５等）のいずれに対しても、肌対向面側に接合されていないのが好ましい。例えば、バックシート１３がトップシート１２の幅方向外側に延出している場合、サイドシート１４の延出領域３３は、バックシート１３の肌対向面側に接合されていない領域である。この延出領域３３の形状及び幅方向の幅の詳細については、後述する。
【００３９】
図３に示されるように、本実施形態において、サイドシート１４の延出領域３３は、長手方向の中央部分に位置する延出フラップ３３ａと、この延出フラップ３３ａの長手方向の前後両側に位置する折返フラップ３３ｂとに区分されている。図３に示されるように、延出フラップ３３ａと、その前後に位置する折返フラップ３３ｂとの間は、切り込み３３ｃによって切り離されている。図３では、切り込み３３ｃは、延出領域３３の幅方向端部まで延出しており、この切り込み３３ｃにより、延出フラップ３３ａは、延出領域３３幅方向端部に向かうにつれて広がる台形形状となる。
【００４０】
図４に示されるように、延出領域３３の折返フラップ３３ｂは、吸収性本体１０の肌非当接面側に折り返される。そして、図５（Ｃ）に示されるように、吸収性本体１０の最も外側をくるむようにして、ホットメルト接着剤などによって接合される。この詳細については後述する。そして、このとき、接合領域３１と延出領域３３の境界線が、折返フラップ３３ｂの折返線として機能する。他方で、延出フラップ３３ａは、折り返されずにそのまま残った状態となる。したがって、図４に示されるように、延出フラップ３３は、吸収性本体１０のトップシート１２よりも幅方向外側に向かって延出した部位となる。特に、延出フラップ３３ａは、吸収性本体１０を構成する他のいずれの部材（吸収体１１、トップシート１２、バックシート１３、セカンドシート１５等）よりも幅方向外側に位置するのが望ましい。その延出の長さについては後述する。そして、図４には示されていないが、例えば、バックシート１３の幅方向の長さがトップシート１２の幅方向長さよりも長く形成されており、バックシート１３がトップシート１２の幅方向外側に延出していることもある。この場合、延出フラップ３３ａは、バックシート１３よりもさらに幅方向外側に延出する。
【００４１】
本実施形態では、トップシート１２がバックシート１３の肌非当接面側と対峙するように折り返されて、トップシート１２が吸収体１１及びバックシート１３の端をくるんでいる。したがって、図５（ｃ）に示されるように、折り返された折返フラップ３３ｂは、この折り返されたトップシート１２の肌非対向面側に重なるように、最も外側に折り返されて固定される。したがって、サイドシート１４がトップシート１２、吸収体１１、バックシート１３を全てくるむ形となり、横漏れを防止するとともに、吸収性本体１０の型崩れを抑制する。
【００４２】
一方で、図４に示されるように、延出フラップ３３ａは、吸収性本体１０の幅方向に突出することとなる。本実施形態では、この延出フラップ３３ａの形状を次のようにする。すなわち、図３及び図４に示すように、接合領域３１との境界部分の長手方向の長さをＬ１とし、延出フラップ３３ａの幅方向端部における長手方向の長さをＬ２とすると、必ずＬ１＜Ｌ２の関係を満たす形状とする。具体的には、長さＬ１は５０ｍｍ以下であり、長さＬ２は、１．５Ｌ１＜Ｌ２＜７．５Ｌ１の関係を満たす長さである。このように、延出フラップ３３ａは、接合領域３１との境界部分においては短く、幅方向外側に向かうに従い長くなる形状とすることで、着用時の肌当たりをよくしている。この形状の詳細及び効果については後述する。
【００４３】
なお、図１に示すように、パンツに成形した際、この長手方向は、脚周り被覆部２５の周方向となる。したがって、Ｌ１およびＬ２は、おむつ１００が展開状態においては長手方向の長さであるとともに、パンツ成形状態においては、脚周り被覆部２５の周方向の長さであるとも言える。
【００４４】
また、吸収性本体１１の長手方向の長さをＬ３を１００％とした場合、延出フラップ３３ａの幅方向端部の長さＬ２は、５％〜７０％、または１０％〜４０％であるのが好ましい、延出フラップ３３ａの長さＬ２が５％未満であると、内股部分を覆う面積が少なくなるため、尿漏れを効果的に防止できなくなるおそれがある。他方、長さＬ２が７０％を越えると、延出フラップ３３ａが内股部分だけでなく、太股外周のかなりの部分を被覆することになり、ごわつき感などを与えることになる。また、脚の前後運動を阻害するおそれがある。
【００４５】
次に、図５（ａ）に示されるように、サイドシート１４の接合領域３１から脚周り開口部２４までの間隔をＷ１とし、延出フラップ３３ａの幅方向の長さ（横幅）をＷ２とする。延出フラップ３３ａの幅方向の長さ（横幅）Ｗ２は、脚周り開口部２４までの間隔Ｗ１以下である（Ｗ２≦Ｗ１）。例えば、延出フラップ３３ａの長さＷ２が間隔Ｗ１よりも長いと、パンツの脚周り開口部から延出フラップ３３ａがはみ出すこととなる。このような形状であると、体液を吸収した延出フラップ３３ａが着用者の衣服に直接触れることとなり、衣服を濡らしてしまうおそれがある。また、延出フラップ３３ａがはみ出していると、おむつの見栄えが悪い。一方で、延出フラップ３３ａの長さＷ２があまりに短いと、内股の皮膚を保護し、かつ、体液漏れを吸収するという効果を十分に発揮できない。したがって、延出フラップ３３ａの長さＷ２は、サイドシート１４の接合領域３１から脚周り開口部２４までの間隔Ｗ１を１００％とすると、２５％〜１００％、または５０％〜９５％が好ましい。そして、脚周り開口部２４に設けられた脚周り伸縮部材２９ｃを覆う位置まで延在しているのが最も好ましい。この最も好ましい形状であれば、脚周り開口部の内周において、脚周り伸縮部材２９ｃの一部は、延出フラップ３３ａに覆われており、外装体２０の内側面に露出しない。この詳細については、後述する。
【００４６】
図２に示されるように、延出フラップ３３ａが形成された吸収性本体１０は、外装体２０の肌対向面側に配置される。具体的には、吸収性本体１０は、外装体２０の股下部２３を中心として、前身頃２１から後身頃２２にかけて配置される。この時、上述したように、延出フラップ３３ａが、外装体２０の脚周り被覆部２５に相当する位置に配置される。
【００４７】
延出フラップ３３ａを備える吸収性本体１０は、外装体２０に対してホットメルト接着剤等によって接合される。吸収性本体１０の外装体２０への接合は、肌非当接面側に接着剤を塗布して固定する。しかしながら、接合はこの方法に限らず、部分的に接着剤を塗布して接合するものであってもよい。
【００４８】
図６に示すように、延出フラップ３３ａは、おむつ１００を装着した時に、外装体２０の内股領域に位置する。脚の動き等により、股下から漏れ出た体液は、脚の内股部分を伝って流れるため、その体液を延出フラップ３３ａは吸収することができる。そして、脚の動きにより、外装体２０の内股領域は引っ張られ、肌に密着しやすい。特に、脚周り開口部２４の脚周り伸縮部材２９ｃは、糸ゴムなどであるため、脚の動きによって肌に食い込みやすい。本実施形態では、内股領域における脚周り伸縮部材２９ｃを覆うように、延出フラップ３３ａが外装体２０に固定されている。したがって、内股領域については、外装体２０のインナーシートだけでなく、延出フラップ３３ａも重なることになり、肌と脚周り伸縮部材２９ｃとの間の保護材の厚みが増すため、肌当たりが良好となる。そして、脚周り伸縮部材２９ｃの締め付けに対しても、インナーシート２７と延出フラップ３３ａの二重の保護によって、伸縮部材２９ｃの食い込みが抑制される。
【００４９】
一方で、延出フラップ３３ａは、脚周り開口部２４に向かうにしたがって広がる台形状である。したがって、図６に示されているように、股下付近では、延出フラップ３３ａの面積が、脚周り開口部２４付近に比べて小さい。図１及び図２に示されるように、股下付近は、おむつ１００が股下及び股下から伸びる脚に合わせて折れ曲がり、皺がよりやすい部分である。特に、股下と内股の境界部分が、一番皺がよりやすい。このような皺がよりやすい部分を被覆するものの厚みが厚いと、ごわつき感が出たり、股下及びそけい部の形に沿ってきれいに折れ曲がらないなどの問題がある。したがって、おむつ１００の股下付近に接する領域については、延出フラップ３３ａの面積をなるべく小さくし、延出フラップ３３ａとインナーシート２７、アウターシート２８の３枚が重なる領域を極力少なくする。このようなそけい部における各シートの重なりを調整することで、肌へのごわつき感を抑制する。また、延出フラップ３３ａが着用者の内股部分にフィットし易く、しかも延出フラップ３３ａが着用者の動きに追従し易くなり、着用者がひっぱり感を感じることが抑制される。
【００５０】
次に、延出フラップ３３ａの外装体２０への固定について説明する。
【００５１】
図７に示されるように、股下部２３に位置する吸収体１１の幅方向端部から、脚周り開口部２４までの長さをＫとする。すなわち、脚周り被覆部２５における内股部分の長さとなる。延出フラップ３３ａが、脚周り伸縮部材２９ｃを覆うところまで延在するものであると、この長さＫは、延出フラップ３３ａの幅方向の長さＷ２よりもわずかに長いものとなる。
【００５２】
延出フラップ３３ａは、全てが外装体２０に接合されていてもよいが、図７に示されるように、一部のみが接合されている方が好ましい。図７（ａ）は、本実施形態のおむつ１００の股下部分から脚周り開口部までを示す部分断面図である。この図に示されるように、延出フラップ３３ａは、脚周り伸縮部材２９ｃに対向する幅方向端部のみが外装体２０に接合されている。この接合されている領域を接合領域Ｋ１とする。一方で、サイドシート１４の接合領域３１の境界部から、この接合領域Ｋ１までの領域は、外装体２０に接合されていない。この領域を自由領域Ｋ２とする（図７（ｂ）参照。）。このように、延出フラップ３３ａは、全てを外装体２０に接合する形とせずに、股下付近は自由領域Ｋ２とすることにより、脚の動きに伴って外装体２０が引っ張られても、延出フラップ３３ａは外装体２０の影響を受けにくい。そして、肌に合わせて自由に湾曲することができるため、股下からの漏れを確実に吸収することができる。また、外装体２０股下から内股にわたる領域において、最も皺が寄りやすい領域Ｊは、外装体２０のみの厚みとなるため、折れ曲がりやすくなり、肌へのごわつき感も抑制できる。
【００５３】
また、延出フラップ３３ａにスリットを入れることにより、脚の動きに合わせて伸び縮みしやすくしてもよい。図８はスリットの形態を示すものである。図８（ａ）に示されるように、自由領域Ｋ２に、長手方向に延びる複数のスリット３４を形成してもよい。例えば、脚の動きに伴い、矢印Ｎの方向に外装体２０及び延出フラップ３３ａが引っ張られた際にも、このスリット３４が開くことにより、その引っ張り力を吸収し、股下部分への影響を抑制する。また、スリット３４の形は、図８（ｂ）に示されるように延出フラップ３３ａ端から斜め方向に伸びるものであってもよい。また、さらに、スリット３４は、図８（ｃ）に示されるように、サイドシート１４の接合領域に食い込んだ形であってもよい。
【００５４】
加えて、延出フラップ３３ａは、幅方向外側に広がる台形状だけでなく、接合領域３１との境界部の長さＬ１と幅方向端部の長さＬ２との関係が、Ｌ１＜Ｌ２を満たす形であれば、様々な形を取り得る。例えば、図９（ａ）に示されるように、幅方向端部は長方形状となっていてもよい。また、同図（ｂ）に示されるように、延出フラップ３３ａは、半円形状であってもよい。さらに、同図（ｃ）に示されるように、延出フラップ３３ａは、接合領域３１境界から幅方向に延びる足付きの長方形状であってもよい。
【００５５】
なお、上述したように、延出フラップ３３ａは、尿などの体液を吸収する役目もあるため、より吸収性を有しているのが好ましい。一方で、延出フラップ３３ａは、サイドシート１４の一部である。サイドシート１４は、上述したように、体液の横漏れを防止する立体ギャザーを構成するものであるため、一般的に撥水性を有するシート材料で形成されることが多い。したがって、本実施形態において、延出フラップ３３ａには、吸収性を高めるために、親水材を塗布するなどの親水処理を施すのが好ましい。
【００５６】
また、延出フラップ３３ａに液吸収性を持たせる別の例として、延出フラップ３３ａの肌対向面側に吸収性素材からなる吸収用片を貼り付けてもよい。この吸収用片は吸収性素材であればよく、例えば、パルプ、セルロース繊維、繊維状の吸収性ポリマーなどが挙げられる。また、ティシュや、合成繊維と吸収性ポリマーからなるＳＡＰシート、ウレタンなどの発泡素材で吸収性を有するものなども用いることができる。
【００５７】
また、延出フラップ３３ａに親水加工を行った場合、防漏性を向上させるために、次のような加工を加えてもよい。すなわち、延出フラップ３３ａの肌非当接面側に漏れを防ぐための防漏性フィルムを貼り付けてもよい。このように防漏性フィルムを貼り付けることにより、延出フラップ３３ａの吸収性と、防漏性の両方を確保することができる。
【００５８】
また、延出フラップ３３ａは、内股部分という脚の前後運動によってすれ易い部分に位置する。したがって、肌に影響がないように、延出フラップ３３ａには、ローションやかぶれ防止用薬剤を予め塗布しておいてもよい。その量は延出フラップ３３ａの吸収性を損なわない程度のものとする。
【００５９】
加えて、必要に応じて、延出フラップ３３ａに消臭剤や抗菌剤を添加したり、塗布してもよい。
【００６０】
このように、肌保護部材である延出フラップ３３ａを設けることにより、内股の肌を脚周り伸縮部材２９ｃの締め付けから保護できるとともに、股下からの体液の漏れ出しを吸収することができる。また、股下付近は極力、延出フラップ３３ａの面積を小さくしたので、ごわつき感を抑制した上で、締め付けからの肌の保護及び締め付け感の緩和を図ることができる。また、延出フラップ３３ａが着用者の内股部分にフィットし易く、しかも延出フラップ３３ａが着用者の動きに追従し易く、着用者がひっぱり感を感じることが抑制される。
【００６１】
なお、図１〜図９に示された実施形態では、延出領域３３が１つの延出フラップ３３ａと２つの折返フラップ３３ｂに区分されているが、この延出領域３３は、少なくとも１つの延出フラップ３３ａを有していればよい。例えば、折返フラップ３３ｂを省略して、延出フラップ３３ａだけとしたサイドシート１４を用いても良い。また、延出フラップ３３ａは、連続した一つのものだけでなく、複数に分けて形成したものであってもよい。
【００６２】
また、延出フラップ３３ａは、サイドシート１４の内層１４ａと外層１４ｂとの両方に形成されているが、外層１４ｂのみに形成したものでもよい。例えば、外層１４ｂによって、延出フラップ３３ａを形成しつつ、内層１４ａを吸収性本体１０の肌対向面側に向かって折り返してもよい。
【００６３】
次に、本実施形態のボクサーパンツ型使い捨ておむつの製造方法について説明する。
【００６４】
吸収体１１、トップシート１２、及びバックシート１３の積層体を用意する。この積層体には、セカンドシート１５が含まれていてもよい。
【００６５】
次に、積層体の幅方向両側に、一対のサイドシート１４を接合する。このとき、サイドシート１４の接合領域３１を、積層体のトップシート１２上に接合するとともに、接合領域３１よりも幅方向外側に位置する延出領域３３を積層体から延出させる。この段階において、サイドシート１４には、立体ギャザー伸縮部材１６などを取り付けておく。また、延出フラップ３３ａの親水化処理はこの段階、もしくは、折返フラップ３３ｂを折り返した後で行うのが望ましい。例えば、延出フラップ３３ａの肌対向面側に親水材を塗布する。また、吸収用片や防漏性フィルムを延出フラップに取り付けるときは、この段階で取り付けてもよい。
【００６６】
次にサイドシート１４の延出領域３３に２つの切り込み３３ｃを形成する。この切り込み３３ｃによって、サイドシート１４の延出領域３３は、１つの延出フラップ３３ａと、その前後両側に位置する２つの折返フラップ３３ｂに区分される。また、切り込み３３ｃを形成する際には、サイドシート１４を形成するシート部材を溶融させながら切断を行うヒートカッターを用いることが好ましい。
【００６７】
次に延出領域３３のうち、折返フラップ３３ｂを積層体の肌非対向面側に向かって折り返す。ホットメルト接着剤などによって、折返フラップ３３ｂを積層体の肌非対向面に接合することが好ましい。これにより、延出フラップ３３ａだけが突出した吸収性本体１０ができる。上述したように、この延出フラップ３３ａだけが突出した状態で延出フラップ３３ａの親水化処理を行っても良い。
【００６８】
次に、吸収性本体１０を、別の製造ラインで製造した外装体２０の肌対向面に重ね合わせて固定する。この時、上述したように、延出フラップ３３ａの接合領域Ｋ１が、脚周り伸縮部材２９ｃを覆うように配置する。
【００６９】
最後に、外装体２０の前身頃と後身頃の幅方向両端部を重ね合わせて接合し、ボクサーパンツ型の使い捨ておむつ１００とする。このように、本実施形態のおむつ１００は、少なくとも内股部分に位置する内股部材である延出フラップ３３ａによって、股下から内股を伝って漏れる体液を効果的に吸収し、それ以上の漏れ出しを阻止することができる。この吸収、漏れ出し効果に加えて、脚周り伸縮部材２９ｃを覆うために、脚周り伸縮部材２９ｃ付近の肌への当たりが柔らかとなり、締め付けによる肌のかぶれなどの発生を抑制する。加えて、延出フラップ３３ａは、全てが外装体２０に接合されているのではなく、接合領域Ｋ１と自由領域Ｋ２とを有しているため、肌を保護すると同時に、脚の動きに沿って変形しやすいため、脚周りにごわつき感を与えることなく、確実に股下からの体液漏れを吸収することができる。加えて、スリットなどを設けることにより、さらに脚の動きに対応した変形をして、着用者がひっぱり感やごわつき感を感じることが抑制される。
【００７０】
なお、本実施形態では、内股部材は、サイドシート１４から延出する延出フラップ３３ａである。すなわち、吸収性本体１０と一体となったものであるが、本発明ではこれに限らず、別体であってもよい。次に内股部材を別体とした第２実施形態について説明する。
【００７１】
図１０は、第２実施形態におけるボクサーパンツ型使い捨ておむつを展開し、肌対向面側から見た展開図である。
【００７２】
本実施形態の内股部材３５は、吸収性本体１０から延出したものではなく、吸収性本体１０と別体に形成されている。図１０から分かるように、内股部材３５は、吸収性本体１０と独立して外装体２０に取り付けられている。内股部材３５は、幅方向に向かって開口するＵ字状をしており、脚周り伸縮部材２９ｃを覆うように配置されている。その幅は、少なくとも２本の脚周り伸縮部材２９ｃを覆っていればよく、好ましくは、内股領域での体液漏れを吸収するのに十分な大きさであればよい。
【００７３】
股下から内股部分への漏れは頻繁におきるわけではなく、体の向きや脚の動き、体液のたまり具合によって、発生するものである。したがって、吸収性本体１０が体液を吸収した際に、内股部材は常に濡れるのではない。したがって、外装体２０が、吸収性本体１０を交換して複数回使用するようなタイプであれば、内股部材は吸収性本体１０から独立しているものが望ましい。すなわち、独立していれば、従来の吸収性本体１０を用いても、第１実施形態と同様の効果を得ることができる。
【００７４】
なお、本実施形態において、吸収性本体１０は、尿パッドなどの交換可能なものであればいかなるものであってもよい。
【００７５】
また、第１実施形態及び第２実施形態において、内股部材は、その中心が、外装体２０の中心線Ｐ上に位置するように、長手方向に均等に配置したが、本発明はこれに限らない。すなわち、脚周り伸縮部材の締め付け加減によっては、多少、後身頃側、もしくは前身頃側に寄った形であってもよい。位置については、横漏れのしやすい位置や、脚周りの締め付け具合に応じて、適宜調整されるものとする。
【符号の説明】
【００７６】
１０  吸収性本体
１１  吸収体
１２  トップシート
１３  バックシート
１４  サイドシート
１４ａ  内層
１４ｂ  外層
１５  セカンドシート
１６  立体ギャザー伸縮部材
２０  外装体
２１  前身頃
２２  後身頃
２３  股下部
２４  脚周り開口部
２５  脚周り被覆部
２６  ウエスト開口部
２７  インナーシート
２８  アウターシート
２９ａ  ウエスト伸縮部材
２９ｂ  タミー伸縮部材
２９ｃ  脚周り伸縮部材
３１  接合領域
３２  起立領域
３３  延出領域
３３ａ  延出フラップ（内股部材）
３３ｂ  折返フラップ
３３ｃ  切り込み
３４  スリット
３５  吸収性本体から独立した内股部材
１００  使い捨ておむつ
【図１】
0006323379.tif 000002
【図２】
0006323379.tif 000003
【図３】
0006323379.tif 000004
【図４】
0006323379.tif 000005
【図５】
0006323379.tif 000006
【図６】
0006323379.tif 000007
【図７】
0006323379.tif 000008
【図８】
0006323379.tif 000009
【図９】
0006323379.tif 000010
【図１０】
0006323379.tif 000011